(57)【要約】【課題】従来，荷の運搬や保管に使用するパレットは，主に木製であるが，強度を維持するために部材が太く自重が重いので作業性も悪く軽量化が望まれている。また，未使用時の格納に際しては，積み上げる以外に方法のない構造なので積み上げ容積は縮小出来ず作業スペ−スに高く積み上げられ，崩壊の危険性すらある。また，輸出梱包用としては木製のパレットは流通コストに係わる薫蒸処理をしなければならない煩わしさもあってパレットの素材と形状の改善が求められている。【構成】この発明になるパレットの素材には再生材を含むプラスチックスに強度を保持するための骨材，コストを下げ，軽量化を図るために増量材等を混入し，更に製造コストを下げるために２００℃前後で加熱押し出し成形とした。また，荷台に相当する平板とその支柱とは別々に製作して組み立てたが，支柱は錐型として「入れ子」の機能を持たせ分解しないで積み上げ格納を可能とし，このことによって格納時におけるスペ−スの縮小，横ずれや崩壊による事故に対処できるようにした。【選択図】図１
2005320057.tif 000002
【特許請求の範囲】
【請求項１】
適当な面積を持つ四角形の平板，簀の子板，ハニ−カム構造を導入した平板等の各四隅に１個あて，適当な直径の円を含む多角形の何れか同形の穴を穿ち，それらの穴に型が合致し，フォ−クリフト等運搬機器の爪の出し入れがスム−スに行える間隙を確保できる高さの円錘を含む多角錘の支柱を嵌め込み，それらの支柱は着脱が容易でありながら反面意図しない脱落を防除する構造を付加した特徴を持つ荷物の運搬・保管用のパレット。
【請求項２】
「請求項１」において超重量の係わる場合は，平板の中央部等任意の位置にその重量に耐え得るように単数あるいは複数の同型支柱を付加することの出来る穴を予め穿っておき，支柱を補う事によって超重量にも耐え得る構造とし，普通重量の荷に対しては支柱を補わないので穴に見合う重量分についてパレットの自重を軽量化出来る等の特徴を持たせた荷物の運搬・保管用パレット。
【請求項３】
「請求項１，２」において，使用する素材には，平板等および支柱は共に骨材あるいは増量材を付加した再生材を含むプラスチックスを使用する事を特徴とする荷物の運搬・保管用のパレット。
【発明の詳細な説明】
【発明の詳細な説明】
【技術分野】
【０００１】  この発明は，荷物の運搬や保管に使用するパレットの軽量化と作業性の向上及び未使用（格納）時における積み上げの全容積減とを主に意図したもので，平板あるいは簀の子板等と支柱（脚）とを別個に製作し，パレットの使用と格納に際しての組み立て，分解が容易で，格納時における積み重ねによる横ずれや崩壊のないように支柱を「入れ子」構造とし，このことは，積み上げたときの全容積を小さくするだけでなく，上記横ずれや崩壊による事故を防除するものでもある。
【背景技術】
【０００２】  従来から使用されているパレットは，主に木製で天板と下板及びそれらを連結する支柱からなっているが，その殆どは，金属製の釘を使用して組み立てられており，パレットの自重も重く，形状の変更や使用されている木材の再利用は至難であり，格納時におけるパレットの移動や特に積み重ねによる格納は，横ずれや崩壊する危険性があり，それらの改善が求められている。
【発明が解決しようとしている課題】
【０００３】  従来使用している木製のパレットは，強度を保つために部材が太く，したがって自重が重くて作業性が悪く軽量化が望まれている。また格納時における保管のために積み上げた容積も構造的に縮小できず，（１台の容積）×（台数）以下には成り得ない等の欠点があり，本来は作業スペ−スである筈の場に高く積み上げられそのスペ−スをその分狭くしているのが現状で，特に崩壊の危険性もあって改善が望まれている。
【０００４】  なお、輸出梱包用として使用する場合には，木製では法に定める薫蒸等による殺菌等の操作が必要であり，予め殺菌等の操作をした部材によって組み立てたあるいは組み立てた後に薫蒸処理したパレットを使用しなければならない煩わしさがある。このことは運搬する荷の流通コストにも影響し，当然ながらコストは高くなる。
【０００５】  また，木製のパレットは屋外や湿気の多い場所等では，水分を吸って重量が変化する等輸送する荷の基本に係わる内容において変化する欠点もある，これらの事象を排除することが求められている。
【課題を解決するための手段】
【０００６】  本発明のパレットは，その素材にはプラスチックスのみを使用するかそれに木材，竹材あるいはそれらのチップ，鋸屑，炭化した木・竹材，グラスファイバ−，鉄線等を骨材あるいは増量材として使用することによってパレットの強化と軽量化および価格の低減が図れる。
また，支柱を錘形にして「入れ子」とすることによって積み重ねによるパレットの格納時における容積を最小にし，それに見合う分高く積み上げられるので，その分広い作業スペ−スが確保出来，且つパレットの横ずれや崩壊が防げるので，その事による事故の防除が可能となり，輸出に際しての薫蒸等による殺菌等の操作も割愛でき，水分を吸う事によって起こる重量の変化も起こらないので，これらのことによって起こる流通コストの高くなることを排除できる。
【実施例】
【０００７】  この発明の実施例を図に基づいて説明する。本発明に使用した主素材は，プラスチックスあるいは廃プラスチックスに，上記段落「０００６」に述べた強度を保持強化するための骨材あるいは強度に影響しない許容範囲の増量材を混入して２００℃前後において加熱押し出し等の方法によって成形した平板あるいは更に加工を施した簀の子板，ハニ−カム構造を導入した平板（以後これらの全てを単に平板と呼称する）と円錐を含む多角錐の何れかを支柱（以後単に支柱と呼称する）として構成した。ここでは支柱に円錐型を採用した例によって図示して説明する。【０００８】  図２のｂは，廃プラスチックスを使用して中空成形した支柱の断面図である。したがって図２のｂにおける▲２▼に該当する部分が平板の厚さに相当し，▲３▼が平板の裏側に接する事で支柱が上に抜けないためのストッパ−の役目を果たす鍔である。【０００９】  ▲４▼が平板の表側に接するようにするために，支柱円周の３方向において等間隔に切り残し，その各々を外側に折り曲げる事によって機能する下に抜け落ちないためのストッパ−としての役目を果たす鍔で，図１，２の各ａに示した。但し支柱と元来は一体で，折り曲がる部分▲６▼は曲線であるために折り曲げると皺を生ずるので，図２に示す切れ込み▲５▼によって皺に起因する膨らみを吸収するようにした。また，三方向に等間隔に切り残した各鍔の支柱に接する部分の幅をその切れ込み▲５▼によって狭くして各鍔を外側へ曲げたが生ずる膨らみは小さくはなるが完全には解消しない。しかしその膨らみは支柱を嵌め込む穴の内壁に対する圧力（摩擦量）を増し，支柱の下への脱落を防げる一方法に成るので，簡易な支柱の着脱を優先してビス等の留め金は採用しなかった。【００１０】  なお，支柱と平板との分解が可能なことを犠牲にすれば，当初から支柱の曲線に馴染むように三方向について▲３▼と同じように鍔を接着剤等によって接着しても下への脱落を防ぐ機能は果たせる。しかし用途によっては支柱が輸送やその作業等の邪魔になることの在ることを考慮すると，分解が可能な機構である事を犠牲には出来難い。【００１１】  また，支柱を多角形とすれば，外周は多角錘の角数と同数の連続した直線となるのでそれらの適当な辺数を適当な位置において外側に折り曲げれば脱落を防止できる膨らみのない鍔を付加することが出来る。【００１２】  何れにしても，この発明の最も重要なのは支柱部分であり，それは支柱を錘型にして「入れ子」とし，支柱を脱着自由にしたことにおいて特徴があり象徴的でもあるが，ここでは，上記段落「０００９」に説明した方法を採用して下への脱落を防止するようにした。【００１３】  ところで、この支柱は重量物を積載する平板（台）の支柱であるだけにその重量に耐え得る強度を必要とする。
また，入れ子を利用して格納時には図３に示すように段積みにして保管するので，支柱の内壁面とその１台上のパレットの支柱外壁面とが接するほど深く入れ子になると，支柱がそれらの摩擦によって抜けなく（分離できなく）なるので，図２−ｂ，図３−ｂに示すようにこのことを防ぐためのストッパ−を兼ねて積載重量に耐えられるように支柱内部の下（先端）部分に補強▲７▼を付加した。【００１４】  また，屋外に野積みにすることを配慮して支柱の下面に図２に示す水抜きの穴▲８▼を穿って水の溜まらないようにし，図２−ｂのＡ−Ｂ断面図においては本来見えないはずのストッパ−を兼ねた補強▲７▼を理解のし易いように点線で補足的に図示しておいた。
【発明の効果】
【００１５】  本発明は，以上説明したように構成されているので，以下に述べるような効果を奏する。
【００１６】  １台単位で従来型の木製のパレットに比較すると重量は軽量化するので作業性が優れ，耐久性も向上する。
【００１７】  荷の重量あるいは容積によって強度あるいは大きさ（縦×横×高さ）を指標に何段階かの大きさのパレットを製作することは，本発明によれば至難ではないから規格の範囲内で輸送に無駄のないパレットを作出する事の効果を持つ。
【００１８】  パレットの支柱を中空にして「入れ子」構造としたことによって，格納時の積み上げによる横ずれや崩壊による事故の危惧は殆ど排除できた。また、積み上げの全容積が縮小するので，より多くの台数をしかも高く積み上げて格納できるので，その分，作業スペ−スが広く確保でき，スペ−スが有効に使用できる効果もある。
【００１９】  木製パレットは破損すると殆どの場合焼却処分されている。資源が無駄になっている事の他に，ＣＯ２の発生等近年厳しくなった大気の汚染問題を惹起する。
それらは金属性の釘で組み立てられている事もあって分解，再組み立てがその経費を含めて至難さの在る事と木製パレットでは再組み立て品（現実には殆ど存在しない）に比較してむしろ新しいパレットにおいて低廉であると言われている事にもよる。いずれにしても、間接的ではあるが木材資源の節減と大気汚染の防除に役立つ効果を持つ。
【００２０】  本発明によるパレットの素材は基本的に焼却することは大気汚染等更に深刻な問題を孕み，厳しく規制の方向にあるが，主素材のプラスチックスの再生利用は可能で，諸々の利用開発が提案されており，本発明においても主に廃プラスチックスを採用する仕様とし，主な素材は勿論，補強のための骨材，軽量化・低廉化のための増量材にも未利用資源を含め再生資源を有効利用する効果が作出される。
【００２１】  輸出梱包用として使用する場合の薫蒸処理の割愛できることは，経費の低減と薫蒸処理に係わる手続き等事務処理を含めてそれらの煩わしさが排除できる。
【図面の簡単な説明】
【００２２】
【図１】本発明によるパレット  ａ  上面図  ｂ  側面図  ｃ  下面図
【図２】本発明によるパレットの支柱  ａ  上面図  ｂ  側面内部Ａ−Ｂ断面図（断面に入らない▲７▼は点線で示した）  ｃ  下面図
【図３】本発明によるパレットを積み上げした姿図  ａ  格納時の側面  ｂ  支柱の内部拡大図
【符号の説明】
【００２３】  ▲１▼支柱本体
▲２▼平板への差し込み部（＝平板の厚さ）
▲３▼平板下面の鍔（上への抜け落ち防止）
▲４▼平板上面の鍔（下への抜け落ち防止）
▲５▼上部の鍔における切り込み
▲６▼曲げの位置，
▲７▼ストッパ−（兼ねて支柱の補強）
▲８▼水抜き穴
▲９▼平板（荷物積載板）
▲１０▼支柱の底
【図１】
2005320057.tif 000003
【図２】
2005320057.tif 000004
【図３】
2005320057.tif 000005